(57)【要約】【課題】外筒容器の首部に空気導入口を形成することなく、極めてシンプルな形態で、外筒容器と内袋容器との間の空間に空気の出し入れを行うことが可能な二重構造容器を提供する。【解決手段】外筒容器３と外筒容器３の内部に収容された内袋容器５とから成る二重構造容器において、外筒容器３は、外筒首部１１と、外筒首部１１に連なり且つ延伸成形された胴部１５とを有しており、内袋容器５は、内袋首部２１と、内袋首部２１に連なり且つ延伸成形された袋状部２３とを有しており、内袋首部２１の外面には、下方部分に、外筒首部１１の内面との嵌合固定用リング状突起４３が設けられており、リング状突起４３は、空気路形成用切欠き４３ａを有していると共に、内袋首部２１の上端には、リング状突起４３よりも小径の小フランジ４１が水平方向外方に延びており、内袋容器５が外筒容器３に収容されている状態において、内袋首部２１のリング状突起４３が、外筒首部１１の内面に嵌合固定されていることを特徴とする。【選択図】図２
2020152426.tif 000002
【特許請求の範囲】
【請求項１】
外筒容器と外筒容器の内部に収容された内袋容器とから成る二重構造容器において、
前記外筒容器は、外筒首部と、該外筒首部に連なり且つ延伸成形された胴部とを有しており、
前記内袋容器は、内袋首部と、該内袋首部に連なり且つ延伸成形された袋状部とを有しており、
前記内袋首部の外面には、下方部分に、前記外筒首部の内面との嵌合固定用リング状突起が設けられており、該リング状突起は、空気路形成用切欠きを有していると共に、該内袋首部の上端には、該リング状突起よりも小径の小フランジが水平方向外方に延びており、
前記内袋容器が前記外筒容器に収容されている状態において、該内袋首部のリング状突起が、前記外筒首部の内面に嵌合固定されていることを特徴とする二重構造容器。
【請求項２】
前記外筒首部の内面の上端部は、該二重構造容器に装着されるキャップに形成されている空気弁が接触する接触面となっており、
前記内袋の袋状部の外面と外筒容器の胴部内面との間の空間に空気を導入し、及び該空間から空気を排出するための空気路が、前記外筒首部の内面、該内面上端部分の前記接触面、該外筒首部の上端面および該外筒首部の外面に沿って形成される請求項１に記載の二重構造容器。
【請求項３】
前記空気弁が接触する面が、前記外筒首部の内面上端から内方に向かって傾斜降下している傾斜面である請求項２に記載の二重構造容器。
【請求項４】
前記外筒首部の外面上部には、キャップを打栓嵌合するためのアンダーカットが設けられており、該アンダーカットには、前記空気路を形成する切欠きが形成されている請求項１〜３の何れかに記載の二重構造容器。
【請求項５】
前記外筒首部の内面には、前記リング状突起との係合により、該外筒首部内での内袋首部の軸方向位置を規制する段差が設けられている請求項１〜４の何れかに記載の二重構造容器。
【発明の詳細な説明】
【技術分野】
【０００１】
本発明は、外筒容器と、該外筒容器内に挿入されて保持された内袋容器とからなる二重構造容器に関するものである。
【背景技術】
【０００２】
従来、内袋容器と外筒容器とからなる二重構造を有している二重構造容器は、例えばエアレスボトルとして、醤油等の調味液が収容される容器として実用されている。かかるエアレスボトルは、逆止弁付のキャップと組み合わせで使用されるものであり、外筒容器であるボトルの胴部壁を外部からスクイズして凹ませることにより、内袋容器に充填されている内容液がキャップに形成されている注出路から排出され、ボトルの胴部壁の押圧を停止することにより内容液の排出を終了させると、逆止弁の作用により、空気は内袋容器には導入されず、キャップの注出路とは異なる流路を通って、内袋容器と外筒容器との間の空間に導入されることとなる。これにより、内袋容器は、内容液が排出された分だけ収縮することとなり、内容液を排出する毎に、内袋容器が収縮していく。このような方法により内容液が排出されるエアレスボトルでは、内容液を小出しできると共に、内容液が充填されている内袋容器への空気の侵入が有効に防止されるため、内容液の酸化劣化を有効に回避でき、内容液の鮮度を長期間にわたって保持できるという利点がある。
【０００３】
従って、二重構造容器では、上記のような空気の流通を確保するために、一般に、外筒容器の首部の壁を貫通する導入口が設けられており、さらに、外筒容器の首部に装着されるキャップの筒状側壁（スカート部）には、その内面に、上下に揺動する弁体が設けられ、この弁体により、上記導入口を通して空気の流通が制御されるように構成される（例えば、特許文献１参照）。
従って、上記のような二重構造容器では、後加工により、空気導入口を形成する必要があり、生産性が低いという問題がある。
【０００４】
また、二重構造容器に装着されるキャップは、一般に、螺子係合により装着されるが（例えば、特許文献２）、このような方式では、外筒容器の首部（或いは内筒容器の首部）の外面に、キャップを装着するための螺条が必要となり、その分、外筒容器や内袋容器のハイトが高くなってしまい、結果的に樹脂量が多く、また、容器重量も重くなってしまう。
【先行技術文献】
【特許文献】
【０００５】
【特許文献１】特開２０１８−２１９８号公報
【特許文献２】特開２０１７−２２２１４１号公報
【発明の概要】
【発明が解決しようとする課題】
【０００６】
従って、本発明の目的は、外筒容器の首部に空気導入口を形成することなく、極めてシンプルな形態で、外筒容器と内袋容器との間の空間に空気の出し入れを行うことが可能な二重構造容器を提供することにある。
本発明の他の目的は、打栓嵌合によりキャップを装着するのに適した形態の二重構造容器を提供することにある。
【課題を解決するための手段】
【０００７】
本発明によれば、外筒容器と外筒容器の内部に収容された内袋容器とから成る二重構造容器において、
前記外筒容器は、外筒首部と、該外筒首部に連なり且つ延伸成形された胴部とを有しており、
前記内袋容器は、内袋首部と、該内袋首部に連なり且つ延伸成形された袋状部とを有しており、
前記内袋首部の外面には、下方部分に、前記外筒首部の内面との嵌合固定用リング状突起が設けられており、該リング状突起は、空気路形成用切欠きを有していると共に、該内袋首部の上端には、該リング状突起よりも小径の小フランジが水平方向外方に延びており、
前記内袋容器が前記外筒容器に収容されている状態において、該内袋首部のリング状突起が、前記外筒首部の内面に嵌合固定されていることを特徴とする二重構造容器が提供される。
【０００８】
本発明の二重構造容器においては、以下の態様を好適に採用することができる。
（１）前記外筒首部の内面の上端部は、該二重構造容器に装着されるキャップに形成されている空気弁が接触する接触面となっており、前記内袋の袋状部の外面と外筒容器の胴部内面との間の空間に空気を導入し、及び該空間から空気を排出するための空気路が、前記外筒首部の内面、該内面上端部分の前記接触面、該外筒首部の上端面および該外筒首部の外面に沿って形成されること。
（２）前記空気弁が接触する面が、前記外筒首部の内面上端から内方に向かって傾斜降下している傾斜面であること。
（３）前記外筒首部の外面上部には、キャップを打栓嵌合するためのアンダーカットが設けられており、該アンダーカットには、前記空気路を形成する切欠きが形成されていること。
（４）前記内袋首部の外面には、前記外筒首部の内面との嵌合固定用リング状突起が設けられており、該リング状突起には、前記空気路を形成する切欠きが形成されていること。
（５）前記外筒首部の内面には、前記リング状突起との係合により、該外筒首部内での内袋首部の軸方向位置を規制する段差が設けられていること。
【発明の効果】
【０００９】
本発明の二重構造容器では、内袋首部の上端外面には、水平方向外方に延びている小フランジが形成されており、この小フランジを利用して、内袋形成用のプリフォームを外筒容器用プリフォーム内への押し込み（打栓）が行われ、内袋首部の外面下方に設けられている嵌合固定用リング状突起が外筒首部の内面に嵌合することにより、内袋用プリフォームが外筒プリフォーム内に安定に保持され、この状態で、延伸ブロー成形を行うことにより製造される。このようにして製造される二重構造容器において、嵌合固定用リングには、空気路形成用の切欠きが設けられていると同時に、内袋首部の外面上端に設けられている小フランジは、上記の嵌合固定用リング状突起よりも小径に設定されている。このため、外筒首部内に収容されている内袋首部の小フランジは、外筒首部の上端面を覆うような構造となっておらず、外筒首部の上端部分と内袋首部の上端との間には空隙が形成されている。即ち、内袋首部のリング状突起よりも上方部分には、外筒首部の内面に沿ってストレートな空間が形成されており、この空間は、リング状突起に形成されている空気路形成用切欠きを通して、内袋容器の袋状部と外筒容器の胴部との間の空間（作用空間）に連通するものとなっている。従って、外筒首部の内面に沿って形成されているストレートな空間を、作用空間に空気を導入するための空気路として利用できる構造となっている。本発明では、このストレートな空間を空気路として利用できるため、外筒首部に空気導入口を形成する必要がなく、これが本発明の最大の利点である。
【００１０】
例えば、本発明の二重構造容器では、外筒首部の上端面が内袋首部の小フランジにより覆われていないため、外筒首部の上端部分の内面を、この容器に装着されるキャップが有している空気弁と接触する面とすることができ、このような構造とすることにより、外筒首部の内面、該内面上端部分の接触面、該外筒首部の上端面および該外筒首部の外面に沿って空気路が形成され、外筒首部に空気導入口を形成することなく、内袋の袋状部の外面と外筒容器の胴部内面との間の空間（作用空間）に空気を導入し、及び該空間から空気を排出することが可能となる。
【００１１】
また、上記の接触面は、所謂ストレートな直胴面となっていてもよいが、この部分を傾斜面とすることにより、この二重構造容器の構造は、この容器（外筒容器）へのキャップの装着を打栓（即ち、押し込みによる嵌合）により行うのに適したものとなる。即ち、空気路を通しての空気の出し入れを制御する空気弁は、外筒首部の内面の上端部分に形成されている傾斜面に当接させればよく、打栓による空気弁の破損等を有効に回避することができるからである。従って、この態様は、二重構造容器のハイトや重量を極力低減させることができ、製造コストの点で極めて有利である。
【００１２】
また、上記のような接触面を設ける代わりに、外筒首部と内袋首部とを覆うように装着されるキャップの頂板部に弁を設けておくことにより、外筒首部と内袋首部との間に形成されている上記のストレートな空間を空気路として利用することもできる。
【図面の簡単な説明】
【００１３】
【図１】本発明の二重構造容器の概略構造を示す図。
【図２】本発明の二重構造容器において、好適な形態の要部をキャップの一部と共に拡大して示す側断面図。
【図３】図２の二重構造容器における外筒首部の概略斜視図。
【図４】図２の二重構造容器における内袋首部の概略斜視図。
【図５】外筒容器内に内袋容器が嵌合固定されている状態での首部の部分を示す斜視図。
【図６】本発明の二重構造容器の成形に使用されるプリフォームを示す図。
【図７】本発明の二重構造容器にキャップが装着されている状態の首部を示す図。
【発明を実施するための形態】
【００１４】
先ず、本発明の二重構造容器の概略構造について、簡単に説明しておく。
この二重構造容器の概略構造を示す図１を参照して、全体として１で示す二重構造容器は、ボトル形状の外筒容器３と、醤油等の内容液が収容される内袋容器５とからなり、図１から理解されるように、外筒容器３の内部に、内袋容器５が挿入されて保持されている。
【００１５】
外筒容器３は、首部（外筒首部）１１と、外筒首部１１に連なっており且つ下方に向かって拡径している肩部１３と、肩部１３に連なっている胴部１５を有しており、胴部１５の下端は、底部１７により閉じられている。このような外筒首部１１の外面には、サポートリング１９が形成されており、このサポートリング１９よりも上方部分にキャップが嵌合固定される。
また、内袋容器５は、首部（内袋首部）２１と、この内袋首部２１に連なり膨らんだ形態の袋状部２３とからなっている。
【００１６】
上記のような外筒容器３及び内袋容器５は、これに限定されるものではないが、例えばポリエチレンテレフタレート等のポリエステルや、ポリエチレン、ポリプロピレン等のポリオレフィンなどに代表されるブロー成形可能な熱可塑性樹脂を用いて成形される。
【００１７】
上記のような二重構造容器１において、外筒容器３の胴部１５は、通常、若干凹んだ形態を有しており、この凹んだ部分（スクイズ領域）を押圧（スクイズ）することにより、胴部１５が大きく凹み、これに伴って、内袋容器５の袋状部２３が押圧され、これにより、この袋状部２３に収容されている内容液が排出される。内容液が排出されると、内容液の減量に応じて袋状部２３が収縮するが、外筒容器３の胴部１５は、その弾性により原形に復帰し、両者の間に空隙（作用空間Ｚ）が形成されることとなる。
【００１８】
ところで、上記のような排出操作を繰り返し行っていくとき、内容液の排出量に応じて、袋状部２３は、より大きく収縮していく。従って、胴部１５のスクイズに際して、前述した作用空間Ｚ内の空気が排出されてしまうと、収縮した袋状部２３内の内容液を排出するためには、外筒容器３の胴部１５をより強く押圧して大きく変形させなければならなくなり、最終的には、内容物の排出を行うことができなくなってしまう。従って、胴部１５を押圧して内容液を排出する際には、作用空間Ｚ内の空気が排出されず、作用空間Ｚに空気を存在させ、空気層を介して袋状部２３が押圧されることが必要である。
また、内容液が排出されると、内容液が排出された分だけ袋状部２３の容積が減り、一方、外筒容器３の胴部１５は凹んだ状態から復帰するため、作用空間Ｚ内は負圧の状態となる。従って、内容液の排出後には、作用空間Ｚ内に空気を導入し、作用空間Ｚ内を常圧に戻す必要がある。負圧のままのときは、胴部１５の原形復帰がスムーズに行われないばかりか、次に、胴部１５を押圧して内容液の排出を行う場合、胴部１５を大きく凹ませなければならず、内容液の排出を効果的に行うことが困難となってしまうからである。
【００１９】
従って、上記の作用空間Ｚからの空気の排出が防止され、また、この空間Ｚには、適宜空気が導入されることが求められる。本発明の二重構造容器１は、このような要求を満足する弁機能を容易に形成することができる。
【００２０】
尚、上記の構造の二重構造容器１は、内袋容器用プリフォームが外筒容器用プリフォームの内部に挿入保持されているスタックプリフォームを用いての延伸ブロー成形により製造されるものであり、外筒容器３では、肩部１３、胴部１５及び底部１７がブロー延伸により薄肉化された部分であり、内袋容器５では、袋状部２３がブロー延伸により薄肉化された部分である。即ち、成形直後の状態では、内袋容器５の袋状部２３は、外筒容器３の肩部１３、胴部１５及び底部１７に密着した状態にあり、上記の作用空間Ｚは、閉じられた状態にある。
【００２１】
前述した図１と共に図２〜５を参照して、外筒容器３の首部（外筒首部）１１の上端部分の外面には、アンダーカット３１が形成されており、このアンダーカット３１との係合を利用してキャップ１００が装着され、安定に保持される。また、外筒首部１１の内面から上端面及び外面にそって、作用空間Ｚから外部にかけての空気路Ｘ（図２参照）が形成されるように、このアンダーカット３１は一部切り欠かれており、空気路形成用スリット３１ａが形成されている。図３から理解されるように、このスリット３１ａは、空気が流通し易いように、二股の逆Ｖ字形状を有している。このようなスリット３１ａの数・および形状は特に制限されないが、キャップ１００との係合力が損なわれない程度の範囲で複数箇所に設けることが、作用空間Ｚへの空気の出し入れをスムーズに行う上で好適である。
【００２２】
外筒首部１１の内面の上端には、内方に向かって傾斜した傾斜面３３が形成されている。この傾斜面３３が、以下に述べるキャップ１００が有する空気弁Ａとの接触面となっており、この空気弁Ａの接触及び離脱を利用して、作用空間Ｚ内への空気の導入を行い、さらには、作用空間Ｚ内からの空気の排出を阻止する弁機能を確保することができる。
【００２３】
また、外筒首部１１の内面（上記傾斜面３３よりも下方の部分）には、内方に突出した段差３５が形成されている。この段差３５は、内袋首部２１の外筒首部１１内での位置を安定にするために形成されているものである。
【００２４】
さらに、上記の外筒首部１１の内面には、好適には、上記の傾斜面３３の下端から、上記段差３５の近傍まで、直線状に延びている浅い溝（打栓案内用溝）３７が、一定間隔で多数形成される。このような溝３７を設けることにより、内袋首部２１を外筒首部１１内に押し込むときに、斜めの状態で挿入されてしまうなどの不都合（所謂斜め嵌合）を有効に防止することができる。
【００２５】
一方、上記の外筒首部１１内に位置している内袋容器５の首部（内袋首部２１）の外面上端には、外方に突出した小フランジ４１が形成されている。この小フランジ４１は、ブロー成形前の段階で、内袋用のプリフォームを外筒用プリフォーム内に挿入する際に、所定の治具による把持等を行うために形成されているものである。さらに、この小フランジ４１には、凹部４１ａが複数箇所に形成されている。即ち、このような凹部４１ａを形成することにより、内袋用プリフォームを外筒プリフォームに嵌合固定してスタックプリフォームの組み立てなどを行うためのホルダの装着や取り外しを容易に行うことができるからである。例えば、上記の凹部４１ａに対応する切欠きを設けておき、このホルダ内に内袋用プリフォームの首部を挿入し、該ホルダを９０度回転させれば、内袋プリフォームは、該ホルダに安定に保持され、その搬送、打栓による外筒プリフォーム内への嵌合固定などによりスタックプリフォームを安定に保持することができ、さらにはブロー成形も行うことができ、操作終了後は、該ホルダ９０度回転することにより、ホルダを速やかに取り外すことが可能となる。
【００２６】
さらに、内袋首部２１の外面には、上記小フランジ４１の下方に、嵌合固定用のリング状突起４３が設けられているが、この小フランジ４１は、このリング状突起４３よりも小径に形成されている。即ち、このリング状突起４３の外径は、外筒首部１１の内径に匹敵する大きさを有しており、内袋首部２１を外筒首部１１内に挿入した時、このリング状突起４３の外面が外筒首部１１の内面に密着し、ガタツキなく、安定に嵌合保持される。また、このとき、リング状突起４３が、外筒首部１１に形成されている段差３５と係合することにより、内袋首部２１が深く挿入されないように、位置決めされることとなる。
また、小フランジ４１は、このリング状突起４３よりも小径に形成されているため、内袋首部２１が外筒首部１１内に嵌合固定された状態において、内袋首部１１の上端の小フランジ４１は、外筒首部１１の上端面を覆っておらず、リング状突起４３の上部には、外筒首部１１の内面に沿ってストレートな空間Ｙが上部空間に直接連通している（図２参照）。しかも、リング状突起４３には切欠き４３ａが形成されており、前述した作用空間Ｚと、上記のストレートな空間Ｙ外筒首部１１と内袋首部２１との間の空間が連通するように構成されている。従って、このストレートな空間Ｙを通して、作用空間Ｚから外部にかけての空気路Ｘを形成することが可能となっている。
【００２７】
上述した構造を有する本発明の二重構造容器１は、図２に示されているように、全体として１００で示すキャップが装着されて使用に供される。
図２において、このキャップ１００の概略構造が示されているが、内袋容器５内に収容されている内容物の排出は許容するが、内袋容器５内への空気の流入を阻止する逆止弁は省略されており、また、このキャップ１００に設けられている上蓋が省略されている。かかるキャップ１００は、外筒容器３の首部１１に装着されるものであり、省略されている逆止弁とは別に、空気弁Ａが設けられており、そのキャップ１００の筒状側壁の外面には、前述した外筒首部１１に形成されているアンダーカット３１と係合する周状突起Ｂが形成されており、筒状側壁１２１に連なり且つ水平方向に延びている頂板部には、筒状側壁とは間隔をおいて下方に延びているインナーリングＣが設けられている。図２から理解されるように、上記の空気弁Ａは、キャップ軸方向下方に延びている環状フラップ片であり、内外に揺動可能となっており、上記の筒状側壁とインナーリングＣとの間の位置において、頂板部から下方に延びており、その下端は外筒首部１１の内面上端に形成されている傾斜面３３に当接している。
【００２８】
このようなキャップ１００において、インナーリングＣの外面は、内袋容器５の首部２１の内面に密着しており、これにより、内袋容器５のシール性が確保される構造となっている。また、筒状側壁の内面に形成されている周状突起Ｂには、図示されていないが、一部に切欠きが形成されており、作用空間Ｚから外部にかけて形成される空気路Ｘが遮断されないように構成されている。
【００２９】
本発明において、このキャップ１００を二重構造容器１（外筒容器３の首部１１）に装着したとき、この空気弁Ａ（フラップ片）とキャップ１００の筒状側壁との間の空間に、外筒容器３の首部１１の上端部分が入り込んだ状態となっている。即ち、前述したように、小フランジ４１が筒首部１１の上端面を覆っておらず、リング状突起４３の上部には、外筒首部１１の内面に沿ってストレートな空間Ｙが形成されているため、このような空気弁Ａが入り込んだ状態とすることができるわけである。
【００３０】
即ち、上記の空気弁Ａの内面側に内袋容器５の首部２１が位置しており、この空気弁Ａが揺動して外方側に傾いたときに、空気弁Ａの下端が外筒容器３の首部１１の内面（傾斜面３３）に当接するようになっている。
【００３１】
上記のようなキャップ１００が装着されている二重構造容器１において、常態においては、上記の空気弁Ａと傾斜面３３との接触により、作用空間Ｚと外部とを連通する空気路Ｘは遮断されている。この状態でキャップ１００の上蓋を開け、二重構造容器１を傾け、外筒容器３の胴部１５（図１におけるスクイズ領域）をスクイズして凹ませたとき、内袋容器５の袋状部２３も凹み、これにより、内袋容器５内の内容液は、キャップ１００に形成されている逆止弁（図２では省略）を通して外部に排出される。このとき、胴部１５の凹みにより、作用空間Ｚ内の圧力は上昇するが、この圧力上昇によって空気弁Ａは、外方に撓み、傾斜面３３に強く押し付けられるため、空気路Ｘは開放されず、作用空間Ｚ内の空気が外部に流れることは無い。尚、常態において、空気弁Ａと傾斜面３３とが離れた状態にあったとしても、スクイズしたとき、作用空間Ｚ内の内圧が急激に上昇するので、この空気弁Ａは外方に撓んで傾斜面３３と接触することになるので、やはり、スクイズ時に作用空間Ｚ内の空気が外部に流れることは無い。
【００３２】
一方、胴部１５のスクイズを停止すると、キャップ１００に設けられている逆止弁は閉じ、内袋容器５内に外部から空気が流入することはないが、スクイズにより凹んだ外筒容器３の胴部１５は、原形に復帰する。従って、内袋容器５の袋状部２３は、内容液が排出された分だけ収縮するが、外筒容器３の胴部１５の原形復帰により、作用空間Ｚは、負圧となる。この結果、傾斜面３３に当接していた空気弁Ａは内方に撓み、空気弁Ａと傾斜面３３との間に空隙が生じ、この結果として、空気路Ｘが開放され、外部から作用空間Ｚ内に空気が流入することとなる。このため、次に外筒容器３の胴部１５をスクイズしたとき、作用空間Ｚに空気が存在し、内袋容器５の袋状部２３と外筒容器３の胴部１５との間に空気層が存在することとなり、先の内容液の排出により収縮している袋状部２３は速やかに押圧され、前回のスクイズと同様、内容液が速やかに排出されることとなる。
例えば、スクイズ停止後に作用空間Ｚ内に空気が流入しないときには、袋状部２３が収縮しているため、内容液を排出するためには、胴部１５を強く押圧して大きく凹ませることが必要となってしまい、最終的には、内容液の排出を行うことができなくなってしまう。本発明の二重構造容器１では、このような不都合が、空気弁Ａと当接する傾斜面３３の形成により、有効に解決されている。
【００３３】
尚、上述した説明においては、空気弁Ａが接触する空気弁接触面が傾斜面３３となっている例を示したが、このような傾斜面とせず、通常のストレートな直胴面を空気弁接触面として利用することもできる。即ち、環状フラップ片からなる空気弁Ａは、スクイズ時に外方に撓んで外筒首部１１の内面と接触するため、空気の排出を有効に防止することができるからである。
しかし、空気弁接触面が直胴面との場合は、キャップ１００を打栓により装着する際に空気弁Ａの変形等を生じ易くなるため、キャップ１００を打栓により装着するという観点からは、空気弁接触面は、上記のような傾斜面３３とすることが好適である。
また、環境温度変化（温度上昇）により、作用空間Ｚ内の圧力が上昇したときのガス抜きを効果的に行うことができるという点でも、空気弁接触面は、図２に示されているように、傾斜面３３とすることが好適である。即ち、空気弁接触面がストレートな直立面であると、このような温度上昇により内圧が上昇した時、空気弁Ａが該直立面に接触するため、作用空間Ｚからのガス抜きは行われない。このため、キャップ１００の上蓋を開けたとき、内容液が排出されてしまうことがある。しかしながら、空気弁接触面を傾斜面３３としておけば、例えば、空気弁Ａ（環状のフラップ片）の外面（傾斜面３３と当接する側の面）に、高さ方向に延びている線状溝を少なくとも１本形成しておくことにより、ガス抜きを有効に行うことができ、上蓋を開けたときの内容液の排出を有効に防止することができる。環境温度の変化程度の内圧上昇では、空気弁Ａの外方の撓みが小さいため、空気弁Ａに形成されている溝を通してガス抜きが行われるためである。勿論、スクイズ時には、作用空間Ｚの内圧が大きく上昇し、空気弁Ａが大きく外方に撓むため、このような溝を通しての空気の排出は生じることが無い。
【００３４】
上述した構造を有する本発明の二重構造容器１は、先にも簡単に述べたが、所謂スタックプリフォーム法により製造される。
このようなプリフォームの形態の一例を図６に示した。
【００３５】
図６を参照して、外筒容器３を形成するためのプリフォーム（外筒プリフォーム）５１は、全体として試験管形状を有しており、上部が、前述した形態の外筒首部１１となっており、この外筒首部１１に連なっている管状部５３が延伸成形部となっている（図６（ａ）参照）。
【００３６】
即ち、外筒プリフォーム５１の外筒首部１１は、前述したように、その外面には、サポートリング１９及びアンダーカット３１が形成され、このアンダーカット３１には、空気路Ｘを確保するための切欠き３１ａが形成されている。また、この外筒首部１１の内面には、上端に傾斜面３３が形成され、その下方には、段差３５が形成されている。さらに、必要により、傾斜面３３と段差３５との間の領域には、溝３７が形成されている。尚、作図上、切欠き３１ａ及び溝３７は、省略されている。
また、管状部５３は、延伸成形される部分であり、ブロー成形されることにより、前述した外筒容器３の肩部１３、胴部１５及び底部１７となる部分が賦形される。
【００３７】
また、内袋容器５を形成するための内袋プリフォーム６１も、全体として試験管形状を有しており、上部が、前述した形態の内袋首部２１となっており、この内袋首部２１に連なっている管状部６３が延伸成形部となっている（図６（ｂ）参照）。
【００３８】
即ち、内袋プリフォーム６１の内袋首部２１は、前述したように、その外面には、上端に小フランジ４１、及びその下方にリング状突起４３が設けられており、管状部６３は、延伸成形される部分であり、ブロー成形されることにより、前述した袋状部２３となる部分が賦形される。
尚、図では、小フランジ４１に形成されている切欠き４１ａ及びリング状突起４３に形成されている切欠き４３ａは、作図上、何れも省略されている。
【００３９】
上記のような内袋プリフォーム６１及び外筒プリフォーム５１は、何れも、前述したブロー成形に適した熱可塑性樹脂（例えば、ポリエチレンテレフタレートなどのポリエステル樹脂）を用いての射出成形により成形され、内袋プリフォーム６１を外筒プリフォーム５１内に挿入してスタックプリフォーム７１が組み立てられる（図６（ｃ）参照）。このスタックプリフォーム７１は、外筒首部１１内に内袋首部２１が入り込んでいる部分が、非延伸領域αであり、この領域αの下方の部分が延伸領域βとなる。即ち、このスタックプリフォーム７１において、非延伸領域αの形態は、前述した図２及び図５で示されている形態となる。
【００４０】
上記のような形態のスタックプリフォーム７１を所定の延伸成形温度に加熱してブロー成形型内に配置し、圧縮エア等のブロー流体をスタックプリフォーム７１内（内袋プリフォーム６１内）に吹き込むことにより、ブロー成形が行われる。即ち、内袋プリフォーム６１の管状部６３は、外筒プリフォーム５１の管状部５３を膨張により押し広げながら延伸され、この結果、外筒プリフォーム５１の管状部５３は、成形型の形態に応じて、肩部１３、胴部１５及び底部１７の形態に賦形される。一方、内袋プリフォーム６１の管状部６３は、この外筒容器３の肩部１３、胴部１５及び底部１７の内面に密着した袋状部２３の形態に賦形され、かくして本発明の二重構造容器１が製造される。
【００４１】
尚、図６（ｃ）に示されているスタックプリフォーム７１においては、内袋プリフォーム６１が完全に外筒プリフォーム５１内に挿入され、外筒プリフォーム５１の上端と内袋プリフォーム６１の上端と同一面上に位置するように組み立てられているが、このような形態に限定されるものではなく、例えば、内袋プリフォーム６１の上端（即ち、内袋首部２１の上端の小フランジ４１）が、外筒プリフォーム５１の上端（即ち、外袋首部１１の上端）よりも突出した状態で存在するような形態とすることもできる。
この場合には、内袋プリフォーム６１の上端の小フランジ４１と外筒首部１１の上端との間の空間に治具を挿入した状態でブロー成形を行い、ブロー成形後、治具を引き抜き、突出している内袋首部２１の上端を外筒首部１１内に押し込む（打栓）ことにより、図２及び図５に示された形態とすることができる。スタックプリフォーム７１をこのような形態とすることは、成形後に、内袋容器５の袋状部２３と外筒容器３の肩部１３との間に空隙を形成することができるため、最初に内容液の排出を行う際、作用空間Ｚ内への空気の導入を速やかに行うことができるという利点がある。
【００４２】
上記のように作製された二重構造容器１は、内袋容器５内に内容液を充填した後、キャップを装着することにより使用に供される。
尚、この二重構造容器１に装着されるキャップとしては、原理的には、螺子係合により外筒首部１１に装着される所謂螺子キャップを使用することもできる。この場合には、外筒首部１１の外面に、キャップ係合用螺条を設け、この螺条に、空気路Ｘを確保するためのスリットが形成されることとなる。
【００４３】
しかしながら、本発明の二重構造容器１では、外筒首部１１に形成されている傾斜面３３にキャップに形成されている空気弁Ａ（具体的には環状フラップ片）を当接させることが必要であり、このような空気弁Ａは、図２から理解されるように、空気弁Ａの内方に内袋首部２１が位置するようになる。従って、内袋容器５の密封を確保するために、インナーリングＣなどの部材を用いる必要となる。このような構造を確保するという点で、本発明の二重構造容器１に適用されるキャップは、打栓タイプのキャップであることが好適である。このような打栓式のキャップを適用することにより、外筒首部１１や内袋首部２１のハイトを低くすることができ、製造コストの点でも有利となる。
【００４４】
前述した図２では、打栓式キャップ１００の概略構造が示されているが、図７に、本発明の二重構造容器１に装着された打栓式キャップ１００の代表的な構造を示した。
【００４５】
図７において、二重構造容器１の外筒首部２１に打栓により装着されるキャップは、図２と同様、１００で示されており、空気弁Ａ、外筒首部１１の外面に形成されているアンダーカット３１と係合する係合突起Ｂ及び内袋首部２１の内面に密着しているインナーリングＣを備えている。
【００４６】
かかるキャップ１００は、全体として１１０で示すキャップ本体と、キャップ本体１１０内に保持されている中栓１１１及び逆止弁１１３とから構成されている。
【００４７】
キャップ本体１１０は、前述した外筒容器３の首部１１に装着される筒状側壁１２１と、筒状側壁１２１にヒンジ連結されている上蓋１２３とを有している。
【００４８】
上記の筒状側壁１２１の上端には、その内部空間を閉じるように延びている頂板部１２５が一体に形成されている。
また、特に限定されるものではないが、この筒状側壁１２１には、上方から下方に延びているスリット１２７が形成されており、これにより二重壁構造となっている。このような二重壁構造により、使用済のキャップ１００を、格別の器具を用いずに、二重構造容器１から容易に引き剥がすことが可能となっており、分別廃棄性が高められている。
【００４９】
また、上記の筒状側壁１２１の内面に、外筒首部１１のアンダーカット３１と係合する係合突起Ｂが形成されている。この係合突起Ｂには、空気路Ｘを確保するための切欠きが形成されているのは、先に説明したとおりである。
【００５０】
上記の筒状側壁１２１の上端から内方に延びている頂板部１２５の下面には、筒状側壁１２１とは間隔おいて、下方に延びているインナーリングＣが形成されており、このインナーリングＣが、内袋首部２１の内面に密着することにより、内袋容器５のシール性が確保される。
【００５１】
また、頂板部１２５の下面の外周縁から筒状側壁１２１の内面の上端部にかけて、補助突起１３３が形成されており、この補助突起１３３が、外筒首部１１の上端面から外面にかけて密着することにより、このキャップ本体１１０（筒状側壁１２１）が、ガタツクことなく、しっかりと外筒首部１１に固定される。尚、この補助突起１３３にも、空気路Ｘを確保するために、切欠きが形成されているのは言うまでもない。
【００５２】
さらに、頂板部１２５の下面において、インナーリングＣよりも外方側に、空気弁Ａとして機能する環状垂下フラップ片が設けられている。この空気弁Ａが、前述した外筒首部１１の上端内面に形成されている傾斜面３３と係合することにより、外筒首部１１の内面に沿って形成されているストレートな空間Ｙを作用空間Ｚに通じる空気路として利用することができ、このような空気路Ｘを通して作用空間Ｚへの空気の出し入れが行われるわけである。
従って、上記のような空気弁Ａを設ける代わりに、上記の頂板部１２５に開口を形成し、この開口を開け閉めし得る形態の空気弁を設ける構造とすることもできる。頂板部１２５に形成される開口が、前述したストレートな空間Ｙに連通しているからである。
【００５３】
上述した頂板部１２５の下面には、インナーリングＣで囲まれる領域に、中栓１１１を保持するための中栓保持用リング１３７（以下、単にリングと呼ぶことがある）が設けられている。このリング１３７内に中栓１１１が収容されるが、収容された中栓１１１が脱落せずにしっかりと保持されるように、このリング１３７は、下方に向かってやや縮径した形状を有しており、且つリング１３７の内面下端には、突起１３９が形成されている。さらに、リング１３７の内方側の頂板部１２５の下面には、やはり中栓１１１を安定に保持するために周状小突起１４１が形成されている。
【００５４】
一方、頂板部１２５の上面には、周縁部分に、背の低い上蓋係合用突起１４３が形成され、これにより、上蓋１２３を閉じたとき、上蓋１２３がしっかりと保持される。
【００５５】
また、頂板部１２５の上面の中心部分には、内容液注出用案内筒１４５が立設されている。
この案内筒１４５は、筒状側壁１２１内の中空空間と連通しており、内袋容器５から排出される内容液の注出路となる。
【００５６】
前記した筒状側壁１２１の上端部分或いは頂板部１２５の外周縁には、ヒンジバンド１４７により上蓋１２３が旋回可能に連結されている。
この上蓋１２３は、天板部１５１と天板部１５１の外周縁に連なるスカート部１５３とから構成されている。
【００５７】
上記の上蓋１２３において、スカート部１５３の内面には、係合用凹部１５５が形成されており、上蓋１２３を旋回して閉じたとき、この凹部１５５が前述した上蓋係合用突起１４３と係合し、これにより、上蓋１２３の閉蓋状態が安定に保持される。また、スカート部１５３の外面には、ヒンジバンド１４７とは反対側の位置に開封用タブ１５７が設けられている。これにより、このタブ１５７を持って、上蓋１２３の開栓操作を容易に行うことができる。
【００５８】
天板部１５１の内面（図７において、上側の面）には、背の高い緩衝用突起１５９が周状に形成されている。上蓋１２３を閉じたとき、この緩衝用突起１５９の先端が頂板部１２５の上面に当接するように形成されている。即ち、上蓋１２３が閉じられている状態において、偶発的に大きな垂直荷重が加わったとき、この緩衝用突起１５９により応力が緩和され、上蓋１２３等の破損が防止されるものである。
【００５９】
また、天板部１５１の中央部分には、逆止弁１１３を賦勢するためのポール１６１が立設されている。
このポール１６１は、上蓋１２３を閉じたとき、中栓保持用リング１３７内に収容されている中栓１１１に保持されている逆止弁１１３を押圧賦勢するための部材である。従って、上蓋１２３を閉じたとき、このポール１６１は、内容液注出用案内筒１４５内に侵入し、逆止弁１１３に当接することとなる。従って、案内筒１４５の上端は、ヒンジバンド１４７側の背が低く形成されている。また、ポール１６１は、付け根部側が比較的大径に形成され、先端部側が小径に形成された形態を有しており、これに伴い、案内筒１４５の内面の上方部分には、内方に突出した内方突起１４５ａが設けられている。即ち、上蓋１２３を閉じたとき、案内筒１４５内に侵入したポール１６１は、大径の付け根部側が内方突起１４５ａとの嵌合によりしっかりと固定され、ポール１６１の小径の先端部側が位置決めされ、一定位置で逆止弁１１３に当接し、逆止弁１１３を賦勢するように構成されている。
【００６０】
さらに、天板部１５１の内面には、上記のポール１６１を取り囲み、且つ上蓋１２３を閉じたとき、案内筒１４５を取り囲むような位置に、小さな保護リング１６３が設けられている。これにより、内容液がポール１６１やその周辺部に付着した場合、上蓋１２３を開放したとき、天板部１５１の内面全体に内容液が濡れ広がらないようにすることができる。また、同様の目的で、ポール１６１の周辺部には、小さな溝１６５が設けられている。
【００６１】
さらに、キャップ本体１１０に設けられている中栓保持用リング１３７内には、中栓１１１が収容されるが、この中栓１１１は、案内筒１４５の内部と内袋容器５の内部とを連通させる開口１７０が中央部分に形成されている。即ち、この開口１７０を通って、内袋容器５内の内容液は案内筒１４５内に流れ、案内筒１４５から排出されることとなる。
【００６２】
上記のような中栓１１１は、筒状基部１７１と、筒状基部１７１の内面の下端から上方に向かって延びている周状傾斜フランジ１７３と、周状傾斜フランジ１７３の先端から降下して延びている降下壁１７５と、降下壁１７５の下端から内方に突出している水平フランジ１７７とから形成されており、この水平フランジ１７７で囲まれている空間が、前述した開口１７０となっている。このような中栓１１１の形態は、以下に述べる逆止弁１１３を安定に保持するために形成されたものである。
【００６３】
即ち、内袋容器５内に収容されている内容液を排出するためには、上記の開口１７０が開放された状態になければならないが、排出をしない状態では、空気が内袋容器５内に流入するのを防止するために、この開口１７０を閉じておく必要がある。空気が流入すると、内容液の排出により収縮した袋状部２３が膨らんでしまい、その後の内容液の排出に支障を来すこととなるからである。また、内容液の排出に際して案内筒１４５の内面に付着した内容液が内袋容器５内に戻るのを防止し、内袋容器５内の内容液の品質を保持する上でも、内容液の排出後は、速やかに開口１７０が閉じられることが望まれる。このような機能を確保するために、逆止弁１１３が使用される。
【００６４】
かかる逆止弁１１３は、円形であり且つ若干上方に膨らんだドーム形状の弁体１８１を有しており、この弁体１８１は、環状支持部材１８３から延びている複数のストラップ１８５により上下動可能に保持されている。この環状支持部材１８３は、中栓保持用リング１３７の内部に嵌め込まれて固定され、また、弁体１８１は、開口１７０を閉じるように、降下壁１７５の内部に挿入された状態にあり、この弁体１８１が上昇すると、開口１７０が開放され、開口１７０を通して内容液が排出されることとなる。この場合、弁体１８１は、複数のストラップ１８５により保持されているため、開口１７０を通った内容液は、ストラップ１８５の間隙を通って案内筒１４５内に流れることとなる。また、上蓋１２３を閉じたときには、前述したポール１６１が弁体１８１をしっかりと押付けるため、この降下壁１７５内に弁体１８１が嵌め込まれた状態となり、開口１７０が弁体１８１によりしっかりと閉じられた状態となる。
【００６５】
即ち、上蓋１２３を開けた状態で二重構造容器１を傾け、外筒容器３の胴部１５（スクイズ領域）を押圧することにより、内袋容器５の袋状部２３が押圧され、このときの内圧上昇により弁体１８１が持ち上げられ、上記のように開口１７０を通して内容液が排出される。また、胴部１５のスクイズを停止すると、ストラップ１８５の弾性により弁体１８１は、開口１７０を閉じる位置に戻り、さらに、上蓋１２３を閉じることにより、この弁体１８１は、降下壁１７５の内部にがっちりと保持されることとなる。
【００６６】
尚、上述した中栓１１１及び逆止弁１１３のキャップ本体１１０内への組み込みは、例えば、中栓１１１内に逆止弁１１３を組み込んだ後、この組立体を、キャップ本体１１０の中栓保持用リング１３７内に押し込むにより行われる。これにより、逆止弁１１３を収容保持している中栓１１１は、その筒状基部１７１が、リング１３７の下端の突起１３９と上方の周状小突起１４１との間にしっかりと挟持される。この状態で、上蓋１２３を閉じた状態で、該キャップ１００を、内容物が充填されている二重構造容器１に被せて打栓することにより、このキャップ１００が装着される。
【００６７】
ところで、上蓋１２３を開放し、外筒容器３の胴部１５を押圧することにより、逆止弁１１３の弁体１８１を押し上げて内容液を排出するとき、外筒容器３の内面と内袋容器３との間の作用空間Ｚから空気が排出するのを防止し、内容液排出後には、作用空間Ｚに空気を導入し、作用空間Ｚを常圧に戻すことが必要となる。本発明では、このような機能を確保するために、前述した空気弁Ａ（環状垂下フラップ片）が、外筒首部１１の内面に上端に形成されている傾斜面３３に当接するように設けられているわけである。
【００６８】
尚、上述したキャップ本体１１０、中栓１１１及び逆止弁１１３は、何れも、オレフィン系樹脂、例えば、低、中或いは高密度ポリエチレン、線状低密度ポリエチレン、ポリプロピレンなどを用いての射出成形、圧縮成形等により製造される。
【００６９】
このようなキャップ１００が装着された二重構造容器１は、内容液を小出しすることができ、しかも空気との接触による酸化劣化を防止し、長期にわたって内容液の品質を保持することができるため、醤油等の調味液が収容される容器として好適に使用される。
【符号の説明】
【００７０】
１：二重構造容器
３：外筒容器
５：内袋容器
１１：外筒首部
１３：肩部
１５：胴部
２１：内袋首部
２３：袋状部
３１：アンダーカット
３３：傾斜面
３５：段差
４３：嵌合固定用リング状突起
１００：キャップ
Ｘ：空気路
Ｙ：ストレートな空間
Ｚ：作用空間
Ａ：キャップの空気弁
【図１】
2020152426.tif 000003
【図２】
2020152426.tif 000004
【図３】
2020152426.tif 000005
【図４】
2020152426.tif 000006
【図５】
2020152426.tif 000007
【図６】
2020152426.tif 000008
【図７】
2020152426.tif 000009